(57)【要約】【課題】原稿を読み込む前であっても、画質調整例を適切に示すことができるようにする。【解決手段】画像形成装置は、表示部と、画質調整を行う際に表示する確認用の画像を、原稿の種類毎に記憶する記憶部と、画質調整を行う際に確認用の画像を前記記憶部から取得して前記表示部に表示する制御部とを備え、前記制御部は、画像形成する原稿の種類に対応する確認用の画像を前記記憶部から取得し、前記表示部に表示する（ステップＳ３、Ｓ４）。【選択図】図３
2009194694.tif 000002
【特許請求の範囲】
【請求項１】
表示部と、操作部と、画質調整を行う際に表示する確認用の画像を原稿の種類毎に記憶する記憶部と、画質調整を行う際に確認用の画像を前記記憶部から取得して前記表示部に表示する制御部とを備えた画像形成装置において、
前記制御部は、画像形成する原稿の種類が前記操作部を介して選択されると、当該選択された原稿の種類に対応する確認用の画像を前記記憶部から取得し、前記表示部に表示する画像形成装置。
【請求項２】
前記制御部は、前記取得した確認用の画像に画像処理を施し、異なる画質とした複数の確認用の画像を表示する請求項１に記載の画像形成装置。
【請求項３】
前記記憶部は、原稿の種類毎に、同じ画像であって異なる画質とした確認用の画像を複数記憶し、
前記制御部は、前記記憶部から原稿の種類に対応する異なる画質の確認用の画像を取得し、表示する請求項１に記載の画像形成装置。
【請求項４】
前記記憶部は、原稿の種類毎に複数タイプの確認用の画像を記憶し、
前記制御部は、画像形成する原稿の種類に応じた複数タイプのうちの何れかのタイプの確認用の画像を選択して前記記憶部から取得し、前記表示部に表示するとともに、その後前記操作部を介して異なるタイプの確認用の画像が選択されると、当該選択されたタイプの確認用の画像に変更して表示する請求項１〜３の何れか一項に記載の画像形成装置。
【請求項５】
前記記憶部は、原稿の種類毎に複数タイプの確認用の画像を記憶し、
前記制御部は、前記操作部を介して確認用の画像のタイプが選択されると、選択されたタイプの確認用の画像を前記記憶部から取得し、表示する請求項１〜３の何れか一項に記載の画像形成装置。
【請求項６】
前記制御部は、原稿の画像が読み込み済みであるか否かを判断し、読み込み済みでない場合は前記記憶部から確認用の画像を取得して表示し、読み込み済みである場合は読み込んだ原稿の画像のサムネイル画像を作成して表示する請求項１〜５の何れか一項に記載の画像形成装置。
【発明の詳細な説明】
【技術分野】
【０００１】
本発明は、画像形成装置に関する。
【背景技術】
【０００２】
画像形成装置では、画像の濃度や色味等の画質調整を行うことが可能である。従来、実際に画像形成を行う前に、画質調整結果を確認できるように、読み込んだ原稿の画像を用いて画質調整を行ったサムネイル画像を作成して表示している（例えば、特許文献１参照）。サムネイル画像を確認することにより、ユーザはどの画質調整項目についてどの程度の画質調整が必要かを把握することができる。
【０００３】
一方、原稿を読み込む前に確認を行う場合には、原稿の画像が無いため上記のようなサムネイル画像の表示ができない。そこで、図１４に示すように画質調整画面ｄ９において予め異なる画質に応じて準備しておいた確認用の画像ｄ９１〜ｄ９３を画質調整例として表示することが行われている。
【特許文献１】特開２００５−２６８４９号公報
【発明の開示】
【発明が解決しようとする課題】
【０００４】
しかしながら、原稿には写真や文字、地図等の様々な種類があり、調整を必要とする画質も原稿の種類によって異なるものとなる。例えば、文字が多い場合はシャープネス（鮮鋭性）を高くする画質調整が行われることが多いが、写真はシャープネスよりも階調性が重視されるため、コントラスト等の画質調整が行われることが多い。従来はこうした原稿の種類に拘わらず、予め準備した画像を一律に表示していたため、表示した画像が実際の原稿の種類に対応していない場合、画像調整例を適切に示せないことがある。
【０００５】
図１４に示す例では、実際の原稿が地図であるのに対し、確認用に表示されるのは空の写真の画像ｄ９１〜ｄ９３である。地図は文字や線形図等を含む地色が低濃度の画像であり、赤色の調整が必要であるところ、赤色を調整する画質調整画面で確認用に表示された写真の画像は空の濃い青色からなるため、赤色の調整の効果が分かりづらい例となっている。
【０００６】
本発明の課題は、原稿を読み込む前であっても、画質調整例を適切に示すことができるようにすることである。
【課題を解決するための手段】
【０００７】
請求項１に記載の発明によれば、
表示部と、操作部と、画質調整を行う際に表示する確認用の画像を原稿の種類毎に記憶する記憶部と、画質調整を行う際に確認用の画像を前記記憶部から取得して前記表示部に表示する制御部とを備えた画像形成装置において、
前記制御部は、画像形成する原稿の種類が前記操作部を介して選択されると、当該選択された原稿の種類に対応する確認用の画像を前記記憶部から取得し、前記表示部に表示する画像形成装置が提供される。
【０００８】
請求項２に記載の発明によれば、
前記制御部は、前記取得した確認用の画像に画像処理を施し、異なる画質とした複数の確認用の画像を表示する請求項１に記載の画像形成装置が提供される。
【０００９】
請求項３に記載の発明によれば、
前記記憶部は、原稿の種類毎に、同じ画像であって異なる画質とした確認用の画像を複数記憶し、
前記制御部は、前記記憶部から原稿の種類に対応する異なる画質の確認用の画像を取得し、表示する請求項１に記載の画像形成装置が提供される。
【００１０】
請求項４に記載の発明によれば、
前記記憶部は、原稿の種類毎に複数タイプの確認用の画像を記憶し、
前記制御部は、画像形成する原稿の種類に応じた複数タイプのうちの何れかのタイプの確認用の画像を選択して前記記憶部から取得し、前記表示部に表示するとともに、その後前記操作部を介して異なるタイプの確認用の画像が選択されると、当該選択されたタイプの確認用の画像に変更して表示する請求項１〜３の何れか一項に記載の画像形成装置が提供される。
【００１１】
請求項５に記載の発明によれば、
前記記憶部は、原稿の種類毎に複数タイプの確認用の画像を記憶し、
前記制御部は、前記操作部を介して確認用の画像のタイプが選択されると、選択されたタイプの確認用の画像を前記記憶部から取得し、表示する請求項１〜３の何れか一項に記載の画像形成装置が提供される。
【００１２】
請求項６に記載の発明によれば、
前記制御部は、原稿の画像が読み込み済みであるか否かを判断し、読み込み済みでない場合は前記記憶部から確認用の画像を取得して表示し、読み込み済みである場合は読み込んだ原稿の画像のサムネイル画像を作成して表示する請求項１〜５の何れか一項に記載の画像形成装置が提供される。
【発明の効果】
【００１３】
請求項１に記載の発明によれば、原稿の画像に近い画像を用いて画質調整例を示すことができる。これにより、原稿の画像を読み込む前であっても、どの画質調整項目についてどの程度調整すればよいかを、ユーザは適切にかつ容易に把握することが可能となる。
【００１４】
請求項２又は３に記載の発明によれば、異なる画質による画質調整例をいくつか示すことができ、ユーザはどの画質調整項目をどの程度調整するとそのような画像になるのか、ユーザは条件毎に画質調整の効果を把握することが可能となる。
【００１５】
請求項４に記載の発明によれば、より原稿に近い画像で画質調整例を示すことができる。また、一旦何れかのタイプの確認用の画像を表示した後であっても、ユーザが希望するタイプの確認用の画像に変更することができる。
【００１６】
請求項５に記載の発明によれば、ユーザが確認用の画像のタイプを予め選択することができる。よって、より原稿に近い画像で画質調整例を示すことができる。
【００１７】
請求項６に記載の発明によれば、読込済みの原稿の画像がない場合には確認用の画像を用いて画質調整例を示し、既に読込済みの原稿の画像があればそのサムネイル画像を用いて画質調整例を示すことができる。よって、なるべく原稿の画像、或いはそれに近い画像を用いて画質調整例を示すことができるように図ることができる。
【発明を実施するための最良の形態】
【００１８】
まず、構成を説明する。
図１に、本実施形態における画像形成装置１の機能的構成を示す。
画像形成装置１は、図１に示すように画像読取部２、操作部３、表示部４、画像形成部５、本体部１０等から構成されている。本体部１０は、制御部１１、記憶部１２、読取処理部１３、画像制御ＩＣ１４、画像メモリ１５、書込処理部１６、通信部１７を備えて構成されている。
【００１９】
画像読取部２は、ＡＤＦ（Auto Document Feeder）、スキャナ等を備え、原稿の画像を読み取り、当該画像のデータを生成する処理を行う。読取処理により生成された画像のデータは読取処理部１３に出力される。
【００２０】
操作部３は、操作キーや表示部４のディスプレイと一体に構成されるタッチパネル等から構成され、これらの操作に応じた操作信号を生成して制御部１１に出力する。
表示部４はディスプレイを備え、制御部１１の表示制御に従って、画像形成条件の設定画面等の各種操作画面を表示する。
【００２１】
画像形成部５は、書込処理部１６から入力される画像のデータに基づいて用紙上に画像を形成する。画像形成部５の画像形成方式は何れのものであってもよいが、ここでは電子写真方式の場合を例に説明する。電子写真方式の場合、画像形成部５は給紙部、露光部、現像部、定着部等を備え、露光部のレーザ光源から感光ドラムにレーザ光を照射して露光を行い、静電潜像を形成する。その後、感光ドラム上の静電潜像を現像部のトナーで現像してトナー像を形成し、当該トナー像を給紙部から搬送された用紙に転写して画像形成を行う。
【００２２】
次に、本体部１０の各部について説明する。
制御部１１は、ＣＰＵ（Central Processing Unit）、ＲＡＭ（Random Access Memory）等から構成されている。制御部１１は、記憶部１２に記憶されている制御プログラムとの協働により各種演算を行うとともに、各部の動作を制御する。例えば、一連の画像形成の過程において各部への画像のデータの入出力を制御したり、操作画面の表示制御等を行う。
【００２３】
記憶部１２は、制御プログラムやパラメータ等を記憶している。記憶部１２は例えばハードディスク等を適用できる。
また、記憶部１２は、図２に示すように文字／写真、文字、写真、地図等の原稿の種類毎に、その原稿の種類に対応して作成された確認用の画像を記憶している。確認用の画像とは、ユーザが画質調整例を確認できるように、画像調整を行う際に表示する画像である。確認用の画像には原稿の各種類に対し一又は複数のタイプの画像がある。例えば文字／写真の種類に対応する確認用の画像として、タイプ１〜６の画像が作成され、記憶部１２に記憶されている。
【００２４】
読取処理部１３は、画像読取部２から入力された画像に対し、回転、拡大縮小、γ補正処理等の画像処理を施す。また、画像に圧縮処理を施す。圧縮画像は制御部ＩＣ１４を介して画像メモリ１５に出力される。
書込処理部１６は、画像制御ＩＣ１４から入力される圧縮画像に伸張処理を施したり、伸張した画像に中間調処理等の画像処理を施す。
【００２５】
画像制御ＩＣ１４は、画像メモリ１５への画像の入出力を制御する。
画像メモリ１５は画像保存用のメモリであり、大容量のメモリから構成されている。
【００２６】
通信部１７は通信用インターフェイスを備えて、外部の情報処理端末Ｐと通信するための処理を行う。例えば、通信部１７は外部の情報処理端末Ｐから画像形成する原稿の画像を受信する。
【００２７】
次に、動作について説明する。
図３を参照して、原稿の画像形成条件を設定する際に、上記画像形成装置１により実行される処理について説明する。
画像形成条件を設定する際、制御部１１の表示制御により図４に示すような設定画面ｄ１を表示部４に表示する。この設定画面ｄ１では画像形成条件として、原稿、画質調整、倍率等の条件を設定することができる。
【００２８】
設定画面ｄ１において選択キーｄ１１により原稿の設定が選択されると、制御部１１の表示制御により図５に示すような設定画面ｄ２を表示部４に表示する。この設定画面ｄ２では原稿についての条件を設定することができる。条件としては、例えば両面に画像形成する際の両面とじ方向や、特殊原稿の指定、原稿のセット方向、厚さ、原稿の種類、紙種、サイズ等がある。ユーザは、設定画面ｄ２において希望の条件を選択することができる。
【００２９】
設定画面ｄ２においては、原稿の種類毎に選択キーｄ２１が設けられ、この選択キーｄ２１を操作すると、原稿の種類を指定することができる。原稿の種類は、原稿の画像の内容によって文字／写真、写真、文字、地図に分類されている。文字／写真は文字と写真が混在する種類をいう。例えば、画像形成しようとする原稿が図６に示すような地図の画像に係るものである場合、ユーザは原稿の種類として地図の条件を選択すればよい。
【００３０】
設定画面ｄ２において原稿の設定が終了すると、制御部１１の表示制御により図４の設定画面ｄ１を再度表示する。ここで、選択キーｄ１２により画質調整の設定が選択されると、制御部１１は図７に示す画質調整の設定画面ｄ３を表示させる。設定画面ｄ３では、コピー濃度、赤色、青色、緑色等の色味、色相、彩度、明度等の画質調整項目のうち、何れを調整するのか、どの程度調整するのかその条件を設定することができる。
【００３１】
設定画面ｄ３においても条件の設定は可能だが、画質調整例を確認しながら設定を行いたい場合には、各画質調整項目の選択キーｄ３１を操作すればよい。このとき、設定画面ｄ３に表示される画質調整項目は、原稿の設定画面ｄ２において選択された原稿の種類によって選択できない場合がある。すなわち、原稿の種類によっては調整が不必要の画質調整項目があり、このような画質調整項目については選択できないように制御部１１により選択キーｄ３を非表示とする、或いは操作を無効化する等の制御を行う。
【００３２】
このように、操作部３を介して設定画面ｄ２において何れかの原稿の種類が選択され、設定画面ｄ３において選択キーｄ３１により画質調整を行う画質調整項目が選択されると（ステップＳ１；Ｙ）、画像読取部２により原稿は既に読み込み済みかどうかを制御部１１が判断する（ステップＳ２）。
【００３３】
先に、原稿を未だ読み込んでいない場合（ステップＳ２；Ｎ）について説明する。
画質調整の条件を設定する画質調整画面では、ユーザが画質調整例を原稿を読み込む前でも確認できるように確認用の画像を表示する。制御部１１は確認用の画像を記憶部１２から読み出して表示に用いるが、前述のように確認用の画像は原稿の種類毎に用意されており、さらに同じ種類の中でも異なるタイプの画像が複数用意されて記憶部１２に保存されている。
【００３４】
例えば、同じ地図の種類であっても、図８に示すように地図の原稿の種類に対応して、タイプ１：等高線地図（白黒）、タイプ２：道路地図（カラー）、タイプ３：世界地図（カラー）、タイプ４：住宅地図（カラー）、タイプ５：衛星写真の地図（カラー）、タイプ６：地形図（カラー）等、複数のタイプの確認用の画像が記憶部１２に記憶されている。同じ種類でも異なるタイプの画像を複数用意することにより、画像形成しようとしている原稿の画像にできるだけ近い画像を確認用として表示するためである。
【００３５】
制御部１１は、選択された原稿の種類に対応する複数タイプの確認用の画像のうち、任意の１タイプを選択する（ステップＳ３）。そして、制御部１１は画質調整画面を表示部４に表示し、選択したタイプの確認用の画像を記憶部１２から取得し、当該画質調整画面において表示する（ステップＳ４）。このとき、制御部１１は取得した確認用の画像に画像処理を施し、異なる画質とした確認用の画像を複数作成して表示する。
【００３６】
図９に、画質調整画面の一例を示す。
図９に示すように、画質調整画面ｄ４は赤色の画質調整項目について条件を設定する画面である。画質調整画面ｄ４には、赤色のパラメータ数値を選択するための選択キーｋ１を表示しているとともに、キー選択の目安として赤色の強弱を示す指標ｄ４１を表示している。制御部１１は取得した確認用の画像の赤色の色味を、赤色のパラメータ数値「−４」、「０」、「４」に合わせてそれぞれ画像処理した３つの異なる画質の確認用の画像ｄ４２〜ｄ４４を表示している。
【００３７】
なお、異なる画質に調整した画像ｄ４２〜ｄ４４は、タイプ毎に予め異なる画質とする画像処理を施した複数の確認用の画像を作成して記憶部１２に保存しておき、制御部１１がこれらを記憶部１２から読み出して表示させることとしてもよい。
【００３８】
また、画質調整画面ｄ４では、図９に示すように確認用の画像のタイプの変更を指示する変更キーｋ２を表示する。
変更キーｋ２の操作により、確認用の画像のタイプの変更が指示されると（ステップＳ５；Ｙ）、制御部１１は表示部４に同じ原稿の種類に属する複数タイプの確認用の画像を記憶部１２から読み出して選択的に表示する（ステップＳ６）。図１０はその表示例を示している。図１０に示す選択画面ｄ５では地図の種類に属するタイプ１〜６の確認用の画像ｄ５１〜ｄ５６が選択的に表示され、何れかを選択するため選択キーｋ３が表示されている。
【００３９】
原稿の種類が文字／写真である場合には、図１１に示すような選択画面ｄ６が表示される。図１１に示すように、選択画面ｄ６には写真と文字の画像を組み合わせたタイプ１〜６の確認用の画像ｄ６１〜ｄ６６が選択的に表示されている。各画像ｄ６１〜ｄ６６は赤色や緑色の色味、明度が異なったり、シャープなエッジがあったりとタイプによって異なる画像と文字との組合せとなっている。同様に、図１２は原稿の種類が写真である場合の選択画面ｄ７の例であり、図１３は原稿の種類が文字である場合の選択画面ｄ８の例である。選択画面ｄ７では、図１２に示すように明度や色味等が異なるタイプ１〜６の確認用の画像ｄ７１〜ｄ７６が選択的に表示され、選択画面ｄ８では図１３に示すように文字の書体やカラー／白黒等が異なるタイプ１〜６の確認用の画像ｄ８１〜ｄ８６が選択的に表示される。
【００４０】
これら選択画面ｄ５〜ｄ８において、選択キーｋ３の操作により何れかのタイプの確認用の画像が選択されると（ステップＳ７；Ｙ）、ステップＳ４の処理に戻り、選択されたタイプの確認用の画像を用いて画質調整画面の表示を行う。何れの選択も行われずにキャンセル等の操作がなされた場合は（ステップＳ７；Ｎ）、本処理を終了する。
【００４１】
次に、ステップＳ２で原稿が読込済みであると判断した場合（ステップＳ２；Ｙ）について説明する。
この場合、制御部１１は読み込んだ原稿の画像を用いてサムネイル画像を作成する。そして、当該サムネイル画像を用いた画質調整画面の表示を行う（ステップＳ８）。すなわち、図９に示した画質調整画面ｄ４において確認用の画像ではなく、実際の原稿のサムネイル画像を用いた表示が行われる。
【００４２】
以上のように、本実施形態によれば、原稿の設定画面ｄ２において画像形成する原稿の種類が選択されると、制御部１１が当該原稿の種類に対応する確認用の画像を記憶部１２から取得して画質調整画面ｄ４で表示するので、原稿の画像に近い画像を用いて画質調整例を示すことができる。これにより、原稿を読み込む前であってもユーザはどの画質調整項目についてどの程度調整すればよいかを適切にかつ容易に把握することができる。
【００４３】
また、制御部１１は記憶部１２から取得した確認用の画像に、画像処理を施して異なる画質とした複数の確認用の画像を得て、画質調整画面ｄ４で表示するので、画質調整の条件毎に画質調整例を示すことができる。これにより、どの画質調整項目をどの程度調整するとそのような画像になるのか、ユーザは条件毎に画質調整の効果を把握することができ、調整が容易となる。
【００４４】
また、確認用の画像を原稿の種類毎に複数タイプ分記憶し、このうちの何れかのタイプの確認用の画像を制御部１１が選択して記憶部１２から取得、表示する。このように、同じ種類の確認用の画像をさらに細かい分類で準備することにより、原稿により近い画像で画質調整例を示すことが可能となる。
【００４５】
また、画質調整画面には変更キーを設け、変更キーの操作に応じて複数のタイプの確認用の画像を選択する選択画面ｄ５〜ｄ８を表示し、この選択画面ｄ５〜ｄ８でユーザにより選択されたタイプの確認用の画像を表示する構成としている。よって、一旦確認用の画像を表示した後であっても、変更キーの操作によりユーザが原稿に最も近いと考えるタイプに変更することができ、操作の自由度が高い。
【００４６】
また、原稿の画像が既に読込済みであれば、そのサムネイル画像を作成して画質調整画面の表示に用いるので、できるだけ原稿の画像、或いはそれに近い画像を画質調整例として示すことができるように図ることができる。
【００４７】
なお、上記実施形態は本発明を適用した好適な一例であり、これに限定されない。
例えば、上述の実施形態では最初に制御部１１が任意に選択したタイプの確認用の画像を用いて画質調整画面を表示し、後にユーザの選択したタイプの確認用の画像に変更できる構成としたが、最初にユーザにタイプを選択させる構成であってもよい。つまり、原稿の設定画面で原稿の種類が選択されると、原稿の種類に応じて図１０〜図１３に示す選択画面ｄ５〜ｄ８を表示する。選択画面ｄ５〜ｄ８で何れかのタイプがユーザにより選択され、その後画質調整の設定画面ｄ３（図７参照）において何れかの画質調整項目が選択されると、選択画面ｄ５〜ｄ８で選択されたタイプの確認用の画像を用いて画質調整画面ｄ４（図９参照）を表示する。この場合、初めから原稿の画像に最も近い形で確認用の画像を表示することができる。ユーザのタイプの変更操作を省くことができ、操作性がよい。
【図面の簡単な説明】
【００４８】
【図１】本実施形態における画像形成装置の機能的構成を示す図である。
【図２】原稿の種類に対応する確認用の画像を示すテーブルの図である。
【図３】画像形成装置の処理の流れを示すフローチャートである。
【図４】画像形成条件の設定画面を示す図である。
【図５】原稿の設定画面例を示す図である。
【図６】画像形成しようとしている原稿の画像を示す図である。
【図７】画質調整の設定画面を示す図である。
【図８】地図の種類に対応する各タイプの確認用の画像の一例を示す図である。
【図９】画質調整画面を示す図である。
【図１０】地図の種類の確認用の画像のタイプを選択する選択画面を示す図である。
【図１１】文字／写真の種類の場合の選択画面を示す図である。
【図１２】写真の種類の場合の選択画面を示す図である。
【図１３】文字の種類の場合の選択画面を示す図である。
【図１４】従来の確認用の画像の表示方法を説明する図である。
【符号の説明】
【００４９】
１  画像形成装置
２  画像読取部
３  操作部
４  表示部
５  画像形成部
１０  本体部
１１  制御部
１２  記憶部
１５  画像メモリ
【図１】
2009194694.tif 000003
【図２】
2009194694.tif 000004
【図３】
2009194694.tif 000005
【図４】
2009194694.tif 000006
【図５】
2009194694.tif 000007
【図６】
2009194694.tif 000008
【図７】
2009194694.tif 000009
【図８】
2009194694.tif 000010
【図９】
2009194694.tif 000011
【図１０】
2009194694.tif 000012
【図１１】
2009194694.tif 000013
【図１２】
2009194694.tif 000014
【図１３】
2009194694.tif 000015
【図１４】
2009194694.tif 000016